(57)【特許請求の範囲】
【請求項１】
壁面本体と、平板部と、脚とを備え、平板部は、壁面本体に対して回動自在に連結してあって、水平状態と垂直状態に切替可能であり、脚は、水平状態の平板部を支持するもので、平板部に対して折り畳み自在であって、その一端が平板部に対して回動自在かつ平板部下面に垂直な方向に移動自在に取り付けてあり、脚の一端には係合部を、平板部の下面には被係合部を設けてあって、平板部を水平状態にして脚を起立させると、係合部が被係合部に係合して脚が平板部に対して固定され、平板部を水平状態より持ち上げると、係合部が被係合部から離脱して脚が折り畳み可能となることを特徴とする壁面体。
【請求項２】
二本の縦材と、横材とを備え、縦材は、壁面本体に左右離隔して取り付けてあり、横材は、両縦材の間に横架してあり、平板部は、横材に取り付けてあって、垂直状態において両縦材の間に納まることを特徴とする請求項１記載の壁面体。
【発明の詳細な説明】
【技術分野】
【０００１】
本発明は、住宅の敷地境界などに設置されるフェンス、テラスの側壁などの壁面体に関する。
【背景技術】
【０００２】
住宅の敷地境界などに設置されるフェンスや、テラスの側壁などの壁面体は、外部からの視線を遮断し、かつ外部からの侵入者を防ぐためのものであるが、最近では生活スタイルや趣味嗜好に合わせてその他の機能を付加したものも多くなっており、その一つにテーブルやベンチを取り付けたものがある。こうしたテーブルやベンチは常に使用するものではないから、平板部（テーブルの天板やベンチの座面）を折り畳んで収納できるものが多い。そして従来、テーブルやベンチの脚は、別途取り付けるものであった。
【発明の概要】
【発明が解決しようとする課題】
【０００３】
しかしながら、脚を別途取り付けるものは、使用のたびに着脱作業が必要となり、設置や収納に手間がかかる点が問題であった。
【０００４】
本発明は、上記事情を鑑みたものであり、平板部とそれを支持する脚を備え、平板部の設置や収納が容易な壁面体を提供することを目的とする。
【課題を解決するための手段】
【０００５】
本発明のうち請求項１の発明は、壁面本体と、平板部と、脚とを備え、平板部は、壁面本体に対して回動自在に連結してあって、水平状態と垂直状態に切替可能であり、脚は、水平状態の平板部を支持するもので、平板部に対して折り畳み自在であって、その一端が平板部に対して回動自在かつ平板部下面に垂直な方向に移動自在に取り付けてあり、脚の一端には係合部を、平板部の下面には被係合部を設けてあって、平板部を水平状態にして脚を起立させると、係合部が被係合部に係合して脚が平板部に対して固定され、平板部を水平状態より持ち上げると、係合部が被係合部から離脱して脚が折り畳み可能となることを特徴とする。
【０００６】
本発明のうち請求項２の発明は、二本の縦材と、横材とを備え、縦材は、壁面本体に左右離隔して取り付けてあり、横材は、両縦材の間に横架してあり、平板部は、横材に取り付けてあって、垂直状態において両縦材の間に納まることを特徴とする。
【発明の効果】
【０００７】
本発明のうち請求項１の発明によれば、設置時には、平板部を水平状態より持ち上げて脚を起立させた後、平板部を水平状態にすればよく、これにより脚の係合部が平板部の被係合部に係合して固定される。よって、設置が非常に容易であり、かつ使用時に十分な強度が得られる。そして収納時には、脚の一端が平板部下面に垂直な方向に移動自在であることにより、平板部を水平状態から持ち上げても脚は接地したまま動かないので、係合部が被係合部から離脱して、脚が折り畳み可能となる。よって、収納も非常に容易である。
【０００８】
本発明のうち請求項２の発明によれば、平板部を垂直にして収納した状態において平板部が縦材の間に納まるので、意匠性が良好である。また、壁面本体に対しては縦材を取り付けるだけでよいので、施工性も良好である。
【図面の簡単な説明】
【０００９】
【図１】平板部の使用状態における壁面体の縦断面図である。
【図２】脚の取付部分の拡大図であり、（ａ）、（ｂ）は平板部が水平状態である場合の正面図及び側面図、（ｃ）、（ｄ）は平板部を水平状態から持ち上げた場合の正面図及び側面図である。
【図３】平板部の使用状態における壁面体の正面図である。
【図４】平板部の使用状態における壁面体の平面図である。
【図５】平板部の収納途中における壁面体の縦断面図である。
【図６】平板部の収納状態における壁面体の縦断面図である。
【発明を実施するための形態】
【００１０】
以下、本発明の実施の形態を図面に基づいて説明する。なお、以下において上下左右とは、図３における上下左右を示し、図３の手前側を前側、奥側を後側とする。また、この壁面体は住宅の敷地境界に設置されるフェンスであり、平板部２はテーブルとして使用することを想定したものである。この壁面体の本体（壁面本体１）は、図３に示すように、左右の柱材１０１と、上端部の桁材１０２とを門形に組んであって、その内周側に、縦枠材１０３、横枠材１０４及び採光パネル１０５を納めたものである。より詳しくは、左右の柱材１０１の内周側面に上下に延びる縦枠材１０３をネジ止めしてあって、両縦枠材１０３の間に六本の横枠材１０４を横架して縦枠材１０３側からネジ止めしてある。横枠材１０４は上下に等間隔に配置してあって、左右の縦枠材１０３と上下の横枠材１０４によって形成されるそれぞれの四周枠に採光パネル１０５を嵌め込んである。なお、採光パネル１０５は透明なものでもよいし、半透明なものでもよい。また、壁面本体１の右側から略１／４の位置には、上下に延びる中骨１０６を取り付けてある。中骨１０６は、採光パネル１０５の前側に位置しており、上側の横枠材１０４の下面と下側の横枠材１０４の上面にネジ止めしてある。なお、図４に示すように、左側の柱材１０１の前側面にも縦枠材１０３が取り付けてあり、さらに横枠材１０４及び採光パネル１０５が取り付けてある（この柱材１０１の前方に柱材が設けてある（図示省略））。このように、壁面本体１は前後左右自在に連設できる。また、柱材１０１、桁材１０２、縦枠材１０３、横枠材１０４及び中骨１０６は、何れもアルミ形材からなるものである。
【００１１】
そして、この壁面本体１の前側下部に、平板部２を回動自在に連結してある。図１及び図４に示すように、平板部２は、左右に延びる六本の板材２１を前後方向に並べ、下面に前後に延びる三本の梁材２２をネジ止めして一体に構成したものである。一方、壁面本体１の左右の柱材１０１の下部には、上下に延びる縦材６を取り付けてある。図４に示すように、縦材６は、断面形状が前後に長い長方形の一つの角を切り落とした五角形であり、一方柱材１０１は、断面形状が正方形の四つの角を切り落とした八角形であって、両者の傾斜面（切り落として形成された面）同士を当接させてネジ止めしてある。さらに両縦材６の間には横材７が横架してあり、縦材６側からネジ止めしてある。図１に示すように、横材７は、断面形状が上下に長い長方形の前下側の角を切り落とした五角形である。そしてこの横材７の傾斜面と、平板部２の下面に丁番８をネジ止めして、横材７に平板部２を取り付けてある。平板部２は丁番８の軸を中心に回動自在であり、図１に示す水平状態と、図６に示す垂直状態に切替可能である。さらに、水平状態において平板部２と横材７との間に隙間が形成されるように平板部２を取り付けてあるので、平板部２は、図５に示すように、水平状態からさらに持ち上げることも可能である。なお、水平状態において、平板部２の上面と横材７の上面は略面一である。また、板材２１、梁材２２、縦材６及び横材７は、何れもアルミ形材からなるものである。
【００１２】
また平板部２は、水平状態において平板部２を支持するための脚３を備える。脚３は、アルミ形材からなるものであって、平板部２の下面に左右方向に離隔して二本取り付けてあり、図３に示すように、内側に向けて折り畳み自在である。ここで、脚３の取付構造について図２に基づき詳述する。図２（ａ）、（ｂ）は、平板部２が水平状態である場合の、取付部分の正面図及び側面図であり、脚３は断面矩形の形材からなり、その上端にコ字形の内側支持具３１を取り付けてある。内側支持具３１は、その側面３１ａを脚３の前側面及び後側面にネジ止めしてあり、上面３１ｂにはボルトが上側に向けて突出するように固定してあり、このボルトが係合部４となる。一方、平板部２の下面には、内側支持具３１より一回り大きい外側支持具２３を取り付けてある。外側支持具２３は、その上面２３ｂを平板部２の下面にネジ止めしてあり、側面２３ａが内側支持具３１を前後から挟んでいる。上面２３ｂの中央には孔が形成してあり、さらにこの孔に連通して平板部２の下面にも孔が形成してあって、これらの孔が被係合部５となり、係合部４が挿入されている。そして、外側支持具２３の側面２３ａには上下に延びる長孔２４を形成してあって、この長孔２４と、内側支持具３１の側面３１ａ及び脚３を貫通する回転軸３２を取り付けてあり、回転軸３２は長孔２４に沿って移動自在である。このように構成した脚３は、平板部２が水平状態である場合には、係合部４が被係合部５に挿入されているから回動させることができず、内側支持具３１の上面３１ｂに外側支持具２３の上面２３ｂが当接した状態で平板部２を支持する。そして、図５に示すように平板部２を水平状態から持ち上げると、図２（ｃ）、（ｄ）に示すように、平板部２のみが持ち上がって、脚３は自重により動かない。すると、外側支持具２３が内側支持具３１から離隔し、係合部４が被係合部５から離脱するので、脚３は平板部２に対して回転軸３２を中心に回動自在となり、折り畳むことができる。なお、平板部２及び脚３には、脚３を折り畳んだ状態で固定するための固定手段が取り付けてある。固定手段は、平板部２の下面に取り付けた略球形の突起を有する掛部２５と、脚３の下部の後側面に取り付けた受部３３からなり、脚３を折り畳んだ際に両者が対向するように位置している。受部３３はバネを内蔵していて、受部３３に対して掛部２５を押し込むと、受部３３が掛部２５を把持し、もう一度押し込むと、受部３３が掛部２５を開放する。さらに、脚３の下端には、脚３の高さを調整できるアジャスター３４が取り付けてある。
【００１３】
このように構成した壁面体の平板部２は、使用時には水平状態となっており（図１）、二本の脚３に支持されている。上述のとおり、この状態では脚３の係合部４が平板部２の被係合部５に係合しており、脚３を折り畳むことはできない。よって、脚３に何らかの外力が働いた場合でも不意に脚３が折り畳まれることがなく、安全に使用することができる。そして、平板部２を収納する際には、まず平板部２の前側端に手を掛けて水平状態から持ち上げる（図５）。すると、係合部４が被係合部５から離脱して、脚３を折り畳むことが可能となる。脚３を内側に折り畳むと、脚３の受部３３が平板部２の掛部２５を把持して、脚３が折り畳まれた状態で固定される。そして平板部２の前側端を下方に下ろすと、平板部２が反時計回りに回動して垂直状態となる（図６）。この際、平板部２は両縦材６の間に納まり、側面視すると平板部２は縦材６に隠れる。一方、平板部２を設置する際には逆の手順となり、まず平板部２を時計回りに回動させて水平状態よりも上へ持ち上げる。次に脚３を平板部２側へ押し込むことで、脚３の受部３３が平板部２の掛部２５を開放して、脚３を垂直に起立させることができる。そしてそのまま平板部２を下ろして水平状態にすれば、係合部４が被係合部５に係合して脚３が固定される。
【００１４】
なお、縦材６の内周側面には、平面視して略Ｌ字形の回転止め具９を取り付けてある（図１）。回転止め具９は、縦材６の内周側面に当接する基礎片９ａと、基礎片９ａから内周側に立設する立設片９ｂからなり、立設片９ｂが垂直状態の平板部２の後側面（水平状態における下面）に当接して、平板部２が垂直状態からさらに反時計回りに回転して壁面本体１に衝突することを防ぐ。また、縦材６の内周側面の下端には、振れ止め具１０を取り付けてある（図１）。振れ止め具１０は、前後に延びる腕部１０ａと、腕部１０ａの後側上部から内周側に立設する当接片１０ｂと、腕部１０ａの前側端を軸支するノブ１０ｃからなり、ノブ１０ｃを締めると腕部１０ａが固定され、ノブ１０ｃを緩めると腕部１０ａが回動自在となる。平板部２を垂直状態にした後、ノブ１０ｃを緩めて腕部１０ａを時計回りに回動させて、当接片１０ｂを平板部２の前側面（水平状態における上面）に当接させる（図６）。そしてノブ１０ｃを締めて腕部１０ａを固定すれば、平板部２は振れ止め具１０の当接片１０ｂと回転止め具９の立設片９ｂに前後から挟まれるので、平板部２の揺動を防ぐことができる。
【００１５】
このように、本発明の壁面体は、平板部の設置及び収納が非常に容易であり、かつ使用時には脚が固定されて十分な強度が得られる。また、平板部を垂直にして収納した状態において平板部が縦材の間に納まるので、意匠性が良好である。さらに、壁面本体に対しては縦材を取り付けるだけでよいので、施工性も良好である。
【００１６】
本発明は、上記の実施形態に限定されない。平板部の平面形状や取付高さなどは適宜変更することができ、それに合わせて脚の本数や折り畳み方向も自由に変更できる。また、使用目的もテーブルに限られず、たとえば、高さや広さ及び脚の強度などを調整してベンチとして使用してもよい。さらに、係合部と被係合部の形状は実施形態のものに限られず、たとえば、脚の端面に孔を設けて係合部とし、平板部の下面に突起を設けて被係合部としてもよいし、孔や突起を二つ以上設けてもよい。また、壁面体の設置場所や使用目的も自由であり、たとえば、テラスの側壁などであってもよい。さらに、採光パネルの替わりに、不透明なパネル、格子やルーバーなどを取り付けてもよい。
【符号の説明】
【００１７】
１  壁面本体
２  平板部
３  脚
４  係合部
５  被係合部
６  縦材
７  横材
【図１】
0005687509.tif 000002
【図２】
0005687509.tif 000003
【図３】
0005687509.tif 000004
【図４】
0005687509.tif 000005
【図５】
0005687509.tif 000006
【図６】
0005687509.tif 000007